(57)【要約】【課題】受信したファクシミリデータを携帯端末装置に転送するときに、携帯端末装置のデータ受信料金を低減できるようにする。【解決手段】ファクシミリ処理部２が、公衆回線７からファクシミリデータを受信し、データ記憶部３に記憶する。端末情報記憶部６には、携帯端末装置９の端末固有の情報（例えば表示能力）とデータ受信料金が記憶されている。転送データ生成部５は、データ記憶部３に記憶されているファクシミリデータから携帯端末装置９に転送するための転送データを生成するとき、端末情報記憶部６に記憶されているデータ受信料金情報を考慮して転送データを生成する。【選択図】  図１
2010034660.tif 000002
【特許請求の範囲】
【請求項１】
受信したファクシミリデータを携帯端末装置へ転送する機能を有する通信装置において、
受信したファクシミリデータを基に携帯端末装置へ転送するための転送データを生成する転送データ生成手段と、転送先の携帯端末装置のデータ受信料金情報が記憶されている受信料金情報記憶手段とを備え、前記転送データ生成手段は、前記データ受信料金情報に応じて転送データの生成を行うことを特徴とする通信装置。
【請求項２】
請求項１に記載された通信装置において、
受信したファクシミリデータのデータ量と、前記受信料金記憶手段に記憶されている、単位データ量当たりの受信料金とに基づいて、転送データの受信料金を算出する手段を備えたことを特徴とする通信装置。
【請求項３】
請求項２に記載された通信装置において、
算出された受信料金を転送先の携帯端末装置に通知して転送の可否を確認する手段と、転送了承の応答の受信に基づいて転送を行う手段とを備えたことを特徴とする通信装置。
【請求項４】
請求項３に記載された通信装置において、
算出された受信料金より低額の料金を指定する情報が前記応答に付加されていた場合、前記転送データ生成手段は、その指定された料金に応じて転送データの生成を行うことを特徴とする通信装置。
【請求項５】
請求項１に記載された通信装置において、
前記受信料金情報は、単位データ量当たりの受信料金、定額制の契約の有無、及び定額制の契約が無い場合に転送データ受信時に負担する上限料金を含むことを特徴とする通信装置。
【請求項６】
請求項１に記載された通信装置において、
前記転送データ生成手段は、受信したファクシミリデータの内、予め転送先の携帯端末装置のユーザにより指定された一部のデータのみを転送データとして生成することを特徴とする通信装置。
【請求項７】
請求項３に記載された通信装置において、
受信したファクシミリデータが、転送先の携帯端末装置のユーザから転送の可否の確認の通知の受信を拒否することを指示された送信元からのデータであった場合、転送の可否の確認の通知を行わないことを特徴とする通信装置。
【請求項８】
請求項１に記載された通信装置において、
受信したファクシミリデータの送信元を転送先の携帯端末装置に通知して転送の可否を確認する手段と、その送信元からのファクシミリデータの受信を拒否する旨の応答を受信したとき、その送信元からのファクシミリデータの受信を拒否することを設定する手段とを備えたことを特徴とする通信装置。
【請求項９】
受信したファクシミリデータを携帯端末装置へ転送するデータ転送方法において、
受信したファクシミリデータから、前記携帯端末装置のデータ受信料金に応じた転送データを生成する工程と、生成した転送データを前記携帯端末装置へ転送する工程とを有することを特徴とするデータ転送方法。
【発明の詳細な説明】
【技術分野】
【０００１】
本発明は、受信したファクシミリデータを携帯端末装置に転送する機能を有する通信装置に関し、さらに詳しくは、携帯端末装置のデータ受信料金を低減することのできる通信装置及びデータ転送方法に関する。
【背景技術】
【０００２】
一般にファクシミリ装置が受信したファクシミリデータは、記録紙に出力している。しかし、これではユーザはファクシミリ装置に記録紙を取りに行かない限りファクシミリデータを確認できないため、例えば外出していた場合はファクシミリデータを確認することができない。
【０００３】
このような問題を解決する技術として、受信したファクシミリデータをユーザが携帯している端末装置に転送することで、外出中でもファクシミリデータを確認できるようにした通信装置がある（特許文献１参照）。この通信装置によれば、受信したファクシミリデータを例えば電子メールに添付して携帯端末装置に転送するときに、携帯端末装置の表示能力に対応させてデータ生成を行うことで、小型の表示画面でもファクシミリデータを確認することができる。
【０００４】
しかし、この通信装置では、携帯端末装置が転送データを受信する際の受信料金が考慮されていないため、携帯端末装置の受信料金が多大になるおそれがある。
【０００５】
【特許文献１】特開２００６−３２４８５４号公報
【発明の開示】
【発明が解決しようとする課題】
【０００６】
本発明は、このような問題を解決するためになされたもので、その目的は、受信したファクシミリデータを携帯端末装置に転送するときに、携帯端末装置のデータ受信料金を低減できるようにすることである。
【課題を解決するための手段】
【０００７】
本発明の通信装置は、受信したファクシミリデータを携帯端末装置へ転送する機能を有する通信装置において、受信したファクシミリデータを基に携帯端末装置へ転送するための転送データを生成する転送データ生成手段と、転送先の携帯端末装置のデータ受信料金情報が記憶されている受信料金情報記憶手段とを備え、前記転送データ生成手段は、前記データ受信料金情報に応じて転送データの生成を行うことを特徴とする。
本発明のデータ転送方法は、受信したファクシミリデータを携帯端末装置へ転送するデータ転送方法において、受信したファクシミリデータから、前記携帯端末装置のデータ受信料金に応じた転送データを生成する工程と、生成した転送データを前記携帯端末装置へ転送する工程とを有することを特徴とする。
【発明の効果】
【０００８】
本発明によれば、受信したファクシミリデータを携帯端末装置へ転送するときに、携帯端末装置のデータ受信料金を考慮して転送データを生成することにより、携帯端末装置のデータ受信料金を低減することができる。
【発明を実施するための最良の形態】
【０００９】
以下、本発明の実施形態について図面を参照しながら説明する。
図１は、本発明の実施形態の通信装置である画像形成装置の機能ブロック図を示している。
【００１０】
この画像形成装置１は、ファクシミリ処理部２、データ記憶部３、送受信部４、転送データ生成部５、及び端末情報記憶部６を備えている。これらの機能ブロックは、画像形成装置１に設けられたＣＰＵ、ＲＯＭ、ＲＡＭ、通信装置、ハードディスク等の記憶装置（いずれも図示せず）及び制御プログラムにより実現される。
【００１１】
ファクシミリ処理部２は、電話回線などの公衆回線７からファクシミリデータを受信し、デジタル信号に変換し、データ記憶部３に記憶させる。また、データ記憶部３に記憶されているデータをアナログ信号に変換し、公衆回線７へファクシミリデータとして送信する。
【００１２】
データ記憶部３は、ファクシミリデータ、及び携帯端末装置９へ転送する転送データを記憶する。送受信部４は、データ記憶部３に記憶されているデータをインターネット８を介して携帯端末装置９へ送信する、又、携帯端末装置９からの端末情報をインターネット９を介して受信する。
【００１３】
転送データ生成部５は、端末情報記憶部６に記憶されている端末情報を参照して、データ記憶部３に記憶されているファクシミリデータから携帯端末装置９に転送する転送データを生成する。端末情報記憶部６は、携帯端末装置９の端末固有の情報（例えば表示能力）とデータ受信料金を記憶する。
【００１４】
携帯端末装置９は、公衆回線７やインターネット８に接続され、電話音声やデータの送受信を行う小型無線機である。
【００１５】
以上の構成を有する画像形成装置１がファクシミリデータを受信し、携帯端末装置９へ転送するときの動作を説明する。
【００１６】
図２は、ファクシミリデータを受信してから携帯端末装置へ転送するまでのシーケンス図である。
【００１７】
ファクシミリデータを受信した画像形成装置１は携帯端末装置９へファクシミリデータを受信したことを通知する（手順Ｓ１）。また、それと共に携帯端末装置９を使用するユーザに対し、ファクシミリデータを転送するかどうか、ファクシミリデータを転送する場合は通信料金がいくらかかるか画像形成装置１が計算した結果、及び通信料金をいくらまで負担できるか等も同時に通知する。図３に、この通知により携帯端末装置９の表示画面に表示される画像の一例を示している。
【００１８】
ファクシミリデータ受信通知を受けた携帯端末装置９は、転送するかどうかや通信料金をいくらにするか等の返答を画像形成装置１に送信する（手順Ｓ２）。ファクシミリデータ受信通知に対する返答を受信した画像形成装置１は、ファクシミリデータから所望の転送データを生成した後、その転送データを携帯端末装置９に転送する。
【００１９】
図４は、以上のシーケンスにおける画像形成装置１の動作の詳細を示すフローチャートである。
ステップＳＴ１で、ファクシミリ処理部２が、公衆回線７からファクシミリデータを受信し、ステップＳＴ２で、データ記憶部３に記憶する。
【００２０】
ステップＳＴ３で、転送データ生成部５は、端末情報記憶部６から携帯端末装置固有の情報（例えば表示能力）及びデータ受信料金情報を読み込み、ステップＳＴ４で、転送データ生成部５は、携帯端末装置固有の情報を基に、携帯端末装置に対応した転送データのデータ量及び通信料金を算出する。
【００２１】
ここで、通信料金の算出は以下のように行うことができる。ファクシミリ処理部２はファクシミリデータを受信した時、デジタルデータに変換し、データ記憶部３に格納するので、データ量を認識することができる。また、携帯端末装置９の単位データ量（１パケット＝１２８バイト）当たりの受信料金（例えば０．２円）は端末情報記憶部６に記憶されている。これにより、ファクシミリデータを電子メールに対する所定の形式（ＴＩＦＦ，ＪＰＥＧ等）の添付ファイルとして転送するときの受信料金を算出することができる。
【００２２】
ステップＳＴ５で、送受信部４は、携帯端末装置９に対して、ファクシミリデータを受信したこと、ファクシミリデータを転送するかどうか、転送する場合は通信料金がいくらかかるか、及び通信料金をいくらまで負担できるか等を確認するためにファクシミリデータ受信通知を行う。
【００２３】
ステップＳＴ６で、送受信部４は、携帯端末装置９からファクシミリデータ受信通知に対する返信を受信し、ステップＳＴ７で、端末情報記憶部６に受信内容を記憶する。
【００２４】
ステップＳＴ８で、転送データ生成部５は、端末情報記憶部６から、ファクシミリデータを転送するかどうかの情報を読み込み、ステップＳＴ９で、転送するかどうか判断する。転送しない場合（ＳＴ９：NO）は処理を終了し、転送する場合（ＳＴ９：YES）は、ステップＳＴ１０で、端末情報記憶部６から通信料金が定額かどうかの情報を読み込み、ステップＳＴ１１で、定額かどうかの判断を行う。
【００２５】
通信料金定額の場合（ＳＴ１１：YES）は、ステップＳＴ１２で、転送データ生成部５が携帯端末装置固有の情報に対応する転送データを生成した後、ステップＳＴ１５で、送受信部４が携帯端末装置９に転送する。
【００２６】
通信料金定額でない場合（ＳＴ１１：NO）は、ステップＳＴ１３で、転送データ生成部５が端末情報記憶部６から携帯端末装置固有の情報、及び転送する場合のユーザが負担できる通信料金の情報を読み込み、ステップＳＴ１４で、携帯端末固有の情報、及び転送する場合のユーザが負担できる通信料金に対応した転送データ（ファイルサイズが小さい添付ファイル等）を生成した後に、ステップＳＴ１５で、携帯端末装置９へ転送する。
【００２７】
以上説明したように、本実施形態の画像形成装置によれば、携帯端末装置の表示能力のような端末装置固有の情報だけでなく、携帯端末装置それぞれのデータ受信料金を考慮して、転送データを生成するので、ユーザが負担する受信料金を軽減することができる。
【００２８】
また、携帯端末装置が転送データを受信するときの受信料金を算出して通知し、そのまま転送するのか、或いはより低額の受信料金で転送するのかを問い合わせ、ユーザからの返答に応じて、転送データを生成するので、データ受信料金をユーザの希望する範囲に抑えることができる。
【００２９】
さらに、携帯端末装置のデータ受信料金が定額であるか否かに応じて、転送データを生成するので、データ受信料金が定額でない場合にユーザが負担する受信料金を軽減することができる。
【００３０】
なお、本発明は上記実施形態以外の下記（１）〜（４）のような変形が可能である。
（１）ファクシミリデータはそのドキュメントのヘッダ部分には送信元の番号などの重要部分が記載されている。そのため、画像形成装置から携帯端末へファクシミリデータを全て転送するのではなく、画像形成装置に携帯端末が送信する受信通知に対する返答で、位置指定をすることで、転送するデータ量を削減し、データ通信料金を減らす。
【００３１】
（２）携帯端末装置９が画像形成装置１からファクシミリデータ受信通知を受けた際、その送信元のファクシミリデータは今後全て、ファクシミリデータ受信通知をしないように画像形成装置１に設定する。また、同様にファクシミリデータ受信通知を受けた際、画像形成装置１にその送信元のファクシミリデータは全て受信しないように設定をする。例えば、ダイレクトメールのようなファクシミリを携帯端末装置に転送もしくは、画像形成装置１が受信しないように設定をする。
【００３２】
（３）携帯端末装置９はファクシミリデータ受信通知を画像形成装置１から受信した時、データ受信料金やユーザが負担できる転送データの受信料金の情報を画像形成装置１に送信する。この際、携帯端末装置９はデータ受信料金情報を通信キャリアのwebから自動で入手する。ユーザは、その情報を閲覧して、画像形成装置９に転送する。
【００３３】
（４）画像形成装置１は、携帯端末装置９から送信されてきたデータ受信料金情報を端末情報記憶部６に記憶し、次回ファクシミリデータを受信し、携帯端末装置９に受信通知を行う際、端末情報記憶部６に記憶されているデータ受信料金情報を受信通知と同時に送信する。
【図面の簡単な説明】
【００３４】
【図１】本発明の実施形態の通信装置である画像形成装置の機能ブロック図である。
【図２】本発明の実施形態の通信装置がファクシミリデータを受信してから携帯端末装置に転送するまでのシーケンス図である。
【図３】図２のシーケンスのファクシミリデータ受信通知により携帯端末装置の表示画面に表示される画像の一例を示す図である。
【図４】図２のシーケンスにおける画像形成装置の動作の詳細を示すフローチャートである。
【符号の説明】
【００３５】
１・・・画像形成装置、２・・・ファクシミリ処理部、３・・・データ記憶部、４・・・送受信部、５・・・転送データ生成部、６・・・端末情報記憶部、９・・・携帯端末装置。
【図１】
2010034660.tif 000003
【図２】
2010034660.tif 000004
【図３】
2010034660.tif 000005
【図４】
2010034660.tif 000006